(57)【要約】【課題】  軽量で設置や持ち運びや保管が容易なアサガオ装置を提供する。【解決手段】  落下物を受け止めるために仮設足場に設置されるアサガオ装置１０であって、仮設足場の外面に一端が固定され、仮設足場の外面から斜め上方に突き出した枠体５と、この枠体５内に張設されたシート材１２と、前記枠体５より下方の仮設足場に一端が取り付けられ、他端が枠体５に取り付けられて枠体５を下方から支持した支持部材３とを備え、前記シート材１２が繊維シートと合成樹脂とを貼り合わせた可撓性シート材であることを特徴とする。【選択図】図１
0003194130.tif 000002
【実用新案登録請求の範囲】
【請求項１】
落下物を受け止めるために仮設足場に設置されるアサガオ装置であって、仮設足場の外面に一端が固定され仮設足場の外面から斜め上方に突き出した枠体と、この枠体内に張設されたシート材とを備えたことを特徴とするアサガオ装置。
【請求項２】
前記シート材が、繊維シートと合成樹脂とを貼り合わせた可撓性シート材である請求項１に記載のアサガオ装置。
【請求項３】
前記枠体より下方の仮設足場に一端が取り付けられ、他端が枠体に取り付けられて枠体を下方から支持した支持部材を有する請求項１または２に記載のアサガオ装置。
【請求項４】
前記シート材は、２つの支持材間に架け渡されており、これらの支持材は、前記枠体の２つの縦枠内にそれぞれ着脱可能に取り付けられている請求項１〜３のいずれかに記載のアサガオ装置。
【請求項５】
仮設足場の出隅部において、仮設足場の出隅部に一端が固定された複数の支持材が斜め上方に突き出した状態で扇状に並設され、各支持材にまたがってシート材が架け渡されていることを特徴とするアサガオ装置。
【考案の詳細な説明】
【技術分野】
【０００１】
本考案は、中高層建築物の建設または補修工事の現場において、仮設足場から資材や工具等が地面に落下するのを防止するために、仮設足場の外面に斜め上方に突き出すように設置されるアサガオ装置に関する。
【背景技術】
【０００２】
従来から、建築現場等の仮設足場には、下の通行人等に当たらないよう仮設足場から落下した資材や工具等の落下物を受け止めるためのアサガオが、仮設足場から斜め上方に張り出して設置されている。
このようなアサガオは、仮設足場の外側に、所定の間隔で複数の支持材を取り付け、この支持材の間に、落下物等を受け止めるための主にアルミ、スチール等の金属板や、繊維強化プラスチック板等のパネルを敷設したものである。また、仮設足場の出隅部には扇状のパネルが取り付けられている。
【０００３】
しかしながら、従来のアサガオに用いられる金属板や繊維強化プラスチック板等のパネルは嵩張るため、持ち運びや設置作業等において作業効率が劣るという問題がある。
【先行技術文献】
【特許文献】
【０００４】
【特許文献１】実開平７−４２８４３号公報
【考案の概要】
【考案が解決しようとする課題】
【０００５】
本考案の課題は、軽量で設置や持ち運びが容易なアサガオ装置を提供することを目的とする。
【課題を解決するための手段】
【０００６】
本考案者は、上記課題を解決すべく鋭意検討を重ねた結果、本考案を完成するに至った。すなわち、本考案のアサガオ装置は以下の構成を有する。
（１）落下物を受け止めるために仮設足場に設置されるアサガオ装置であって、仮設足場の外面に一端が固定され仮設足場の外面から斜め上方に突き出した枠体と、この枠体内に張設されたシート材とを備えたことを特徴とするアサガオ装置。
（２）前記シート材が、繊維シートと合成樹脂とを貼り合わせた可撓性シート材である（１）に記載のアサガオ装置。
（３）前記枠体より下方の仮設足場に一端が取り付けられ、他端が枠体に取り付けられて枠体を下方から支持した支持部材を有する（１）または（２）に記載のアサガオ装置。
（４）前記シート材は、２つの支持材間に架け渡されており、これらの支持材は、前記枠体の２つの縦枠内にそれぞれ着脱可能に取り付けられている（１）〜（３）のいずれかに記載のアサガオ装置。
（５）仮設足場の出隅部において、仮設足場の出隅部に一端が固定された複数の支持材が斜め上方に突き出した状態で扇状に並設され、各支持材にまたがってシート材が架け渡されていることを特徴とするアサガオ装置。
【考案の効果】
【０００７】
本考案のアサガオ装置は、持ち運び時や保管時にはシート材を小さく折り畳むことができるので、従来のような金属板や繊維強化プラスチック板に比べて、持ち運びや保管を容易に行うことができ、また取り付けや取り外しも簡単である。
【図面の簡単な説明】
【０００８】
【図１】本考案の一実施形態に係るアサガオ装置を示す斜視図である。
【図２】（ａ）は本考案の一実施形態に係る枠体固定金具の平面図であり、（ｂ）はその側面図である。
【図３】（ａ）〜（ｄ）は本考案の一実施形態に係るアサガオ装置の組み立て手順を示す説明図である。
【図４】本考案の別の実施形態に係るアサガオ装置を示す平面図である。
【図５】本考案の別の実施形態に係るアサガオ装置の詳細を示す平面図である。
【図６】本考案の別の実施形態に係る支持材固定金具を示す平面図である。
【考案を実施するための形態】
【０００９】
＜アサガオ装置１０＞
以下、本考案のアサガオ装置について、図面を参照して説明する。図１に示すように、本考案の一実施形態に係るアサガオ装置１０は、主としてビルやマンション等の中高層建築物の建設または補修工事の現場において、資材や工具等の落下物を受け止めるために仮設足場に設置されるものであり、仮設足場の支柱１０１に一端が固定されて斜め上方に突き出した、縦枠５１と横枠５２とからなる枠体５と、この枠体５内に張設されたシート材１２とを備える。
【００１０】
図１に示すように、シート材１２を囲むように取り付けられる枠体５は仮設足場の外面に複数並設され、使用時には水平面に対して上向きに傾斜している。
枠体５は断面リップ溝型の縦枠５１と横枠５２とからなる。縦枠５１は、上面に枠体５を上方から保持する吊材４を接続するための吊り金具４１が設けられ、下面には枠体５を下方から支持する支持部材３を取り付けるための支持部材取付金具３３が設けられる。枠体５は仮設足場の外面に枠体固定金具１５により取り付けられる。
このような枠体５の材質は特に制限されないが、軽量で強度のあるものが好ましく、例えば、アルミ、スチール等の金属が好ましい。
【００１１】
枠体５を仮設足場の支柱１０１と接続する枠体固定金具１５は、図２（ａ）に示すように、隣り合う枠体５、５の間に設置され、支柱１０１に固定するクランプ１６と、貫通孔２０を有するコ字型の枠体取付金具１７と、この枠体保持金具１７とピン１８で回動可能に接続される枠体回転金具１９により構成される。この枠体回転金具１９は、枠体５の両端に取り付けられたＬ字型の金板であり、短手側にピン１８を挿通する貫通孔２０を有する
図２（ａ）（ｂ）に示すように、枠体取付金具１７と、隣り合う２つの枠体５、５の各枠体回転金具１９とは、ピン１８で固定される。その際、隣り合う枠体５、５は所定の間隙（例えば２９ｃｍの間隔）を有する。この間隙は強風時等に隣り合う枠体同士が接触し破損するのを防止するためである。
このように枠体固定金具１５は、枠体取付金具１７と、この間に挟持された２つの枠体回転金具１９とを、ピン１８によりそれぞれの貫通孔２０を挿通されて固定するので、枠体５、５同士に適切な間隙を持たせて上下方向へ回動させることができる。
【００１２】
図１に示すように、シート材１２は枠体５内に張設され落下物を受け止める役割を有する。シート材１２は図３（ａ）に示すように、２つの支持材１１間に架け渡された無端状である。
シート材１２は、例えば、繊維シートと合成樹脂とを貼り合わせた可撓性シートであるのが好ましく、具体的にはポリエステルの織物に塩化ビニールを貼り合わせたターポリン等が挙げられる。
【００１３】
シート１２に架け渡す支持材１１は、棒状または筒状部材であり、図３（ａ）に示すように２つの支持材１１間にシート材１２を架け渡すように張った後、図３（ｂ）に示すようにそれぞれ縦枠５１内に着脱可能に取り付けられる。支持材１１の形状は特に制限されないが軽量で強度のあるものが好ましく、材質としてはアルミ、スチール、ＦＲＰ（繊維強化プラスチック）等が挙げられる。
【００１４】
枠体５は、図１に示すように下方から支持部材３によって支持される。この支持部材３は、一端が枠体５の枠体固定金具１５より下方の支柱１０１に支持部材固定金具３５で取り付けられ、他端が枠体５の縦枠５１に設けた支持部材取付金具３３に取り付けられる。
【００１５】
また枠体５は、図１に示すように上方から吊材４によって保持される。この吊材４は、図１に示すように、一端が枠体５より上方の仮設足場に取り付けられ、他端が枠体５の縦枠５１に吊り金具４１で連結されている。吊材４としてはワイヤ、ロープ等が使用される。
【００１６】
前記枠体５は、以下の図３（ａ）〜（ｄ）に示す手順にてシート材１２を張設し、仮設足場に取り付けられる。なお、説明上、枠体５の横枠５２は、枠体固定金具１５を取り付けた着端側を下枠５２１、先端側を上枠５２２とした。
（Ｉ）図３（ａ）に示すように、まず２本の支持材１１、１１間へ無端状のシート材１２を架け渡す。
（ＩＩ）次に、図３（ｂ）に示すように、シート材１２を張った支持材１１、１１を、それぞれ縦枠５１内に嵌入して取り付け、枠体固定金具１５を取り付けた下枠５２１両端に立設した角パイプ５４に前記支持材１１、１１を挿し込み、縦枠５１と下枠５２１にそれぞれ設けたねじ穴２１（図２（ａ）参照）を挿通させたねじ５５で固定する。この時、縦枠５１には予め支持部材３を接続していてもよい。
（ＩＩＩ）次に、図３（ｃ）に示すように、下枠５２１に立設した時と同様の角パイプ５４’を立設した上枠５２２を支持材１１の上部から挿し込み、側面からねじ５５で固定して、シート材１２を保持して枠材５を得る（図３（ｄ））。
（ＩＶ）図３（ｄ）に示す枠体５を、図１に示すように、枠体５の下方の仮設足場の支柱１０１に支持部材３の基端部の支持部材固定金具３５を取り付ける。次に、縦枠５１の吊り金具４１に吊材４を取り付けて、枠体５の取り付けは完了する。アサガオ装置１０を撤去する時には前述した手順を逆に行えばよい。
【００１７】
＜出隅部のアサガオ装置１０’＞
次に図４〜６を参照して、仮設足場の出隅部Ｄに取り付けるアサガオ装置１０’を説明する。なお、前記アサガオ装置１０と同じ部材を用いるものには同一の符号を付して説明を省略する。
このアサガオ装置１０’は、図４，５に示すように、仮設足場の出隅部Ｄに一端が固定された複数の支持材１１が、仮設足場から斜め上方に突き出した状態で扇状に並設され、各支持材１１にまたがってシート材１２’が架け渡されている。
このアサガオ装置１０’は、前記アサガオ装置１０と同様に、仮設足場から外面上方に突き出した支持材１１に張設された扇状のシート材１２’が、使用時には水平面に対して上向きに傾斜している。
【００１８】
図４、５に示すように、支持材１１は、仮設足場の出隅部Ｄに取り付けられた支持材固定金具２５に一端が固定され、斜め上方に突き出した状態で扇状に複数並設され、シート材１２’がこの支持材１１にまたがって架け渡されている。前記支持材１１は少なくとも２本からなり、扇状に並設された支持材１１間の所定の間隙を有する。また、アサガオ装置１０’の両端の支持材１１には、後述するコーナー用縦枠６が着脱可能に取り付けられる。
【００１９】
図５に示すように、アサガオ装置１０’の両端の支持材１１は、断面リップ溝型のコーナー用縦枠６内にそれぞれ嵌入して取り付けられる。このコーナー用縦枠６により、シート材１２’はアサガオ装置１０’の両端部の支持材１１に固定される。なお、コーナー用縦枠６の支持材１１およびシート材１２’への取り付け方の詳細および材質は、前記アサガオ装置１０の縦枠５１と同様であるので省略する。
また、コーナー用縦枠６には、枠体５と同様に、下方から支持する支持部材３と連結するための支持部材取付金具３３や、上方から保持する吊材４と連結するための吊り金具４１等を設けていてもよい。
【００２０】
アサガオ装置１０’に用いられるシート材１２’は、図４、５に示すように、仮設足場の出隅部Ｄに取り付けられた支持材固定金具２５により一端が固定された複数の支持材１１にまたがって架け渡され、扇状の形状を有する。
シート材１２’は、隣り合う支持材１１、１１間において、上下のシート材１２’を縫い合わせてもよい。
【００２１】
図６に示すように、支持材固定金具２５は、図１、２に示すアサガオ装置１０の枠体５の端部を保持する枠体取付金具２５２と、仮設足場の出隅部Ｄの支柱１０１’に複数の支持材１１を取り付けるためのクランプ２５１と、このクランプ２５１に取り付けられる扇状取付金具２５３と、この扇状取付金具２５３に所定間隔で取り付けられ複数の支持材１１を受ける受け金具２５４、２５４’とを備え、両端の受け金具２５４’は９０°の間隔に保持される。
【００２２】
枠体取付金具２５２は、クランプ２５１の両側９０°の開き角度で設置され、前記枠体固定金具１５の枠体取付金具１７とピン（図示せず）で連結される貫通孔２５０を有する。
【００２３】
扇状取付金具２５３は、両端部の支持材１１を受ける受け金具２５４’を９０°に保持するために、前記枠体取付金具２５２の前方に取り付けられる。
【００２４】
扇状取付金具２５３は前方にアーチ形バー２５６が取り付けられ、複数の受け金具２５４を所定の間隔で保持している。
【００２５】
受け金具２５４、２５４’は、支持材１１の端部を受ける有底筒形の部材であり、底部に設けた脚部２５７にアーチ形バー２５６が挿通する貫通孔２５５を有する。この状態で受け金具２５４、２５４’は前記アーチ形バー２５６に所定間隔でかつ回動自在に保持されている。
また、受け金具２５４に支持材１１を取り付けるには、支持材１１の端部を受け金具２５４に挿し込むだけでもよく、あるいはネジ止めまたはリベット止め等を行えばよい。
【００２６】
本考案のアサガオ装置は、仮設足場の全周にわたりシート材１２、１２’を用いて軽量であるので設置や解体時に持ち運びし易く、かつ設置作業も容易に行なうことができる。
【符号の説明】
【００２７】
３    支持部材
４    吊材
５    枠体
６    コーナー用縦枠
１０、１０’  アサガオ装置
１１  支持材
１２、１２’  シート材
１５  枠体固定金具
１６、２５１  クランプ
１７、２５２  枠体取付金具
１８  ピン
１９  枠体回転金具
２０，２５５，２５５’  貫通孔
２１  ねじ穴
２５  支持材固定金具
３３  支持部材取付金具
３５  支持部材固定金具
４１  吊り金具
５１  縦枠
５２  横枠
５２１  下枠
５２２  上枠
５４、５４’  角パイプ
５５  ねじ
２５３  扇状取付金具
２５４、２５４’  受け金具
２５６  アーチ形バー
２５７  脚部
１０１，１０１’  支柱
【図１】
0003194130.tif 000003
【図２】
0003194130.tif 000004
【図３】
0003194130.tif 000005
【図４】
0003194130.tif 000006
【図５】
0003194130.tif 000007
【図６】
0003194130.tif 000008